【事件の表示】
　平成５年特許願第２９７１５７号「自動開閉装置」拒絶査定不服審判事件〔平成７年６月１３日出願公開、特開平７−１５０８３６〕について、次のとおり審決する。
【結　論】
　本件審判の請求は、成り立たない。
【理　由】
一、手続の経緯
　本願は、平成５年１１月２９日に出願された特願平５−２９７１５７号の特許出願に係り、平成１４年６月７日付けの拒絶理由通知後になされた平成１４年８月１２日付けの明細書又は図面を補正する手続補正は、平成１４年１２月２７日付けで補正の却下の決定がなされ、その決定が確定した後に平成１５年６月２６日付けで拒絶査定がなされたところ、その拒絶査定を不服とする審判が平成１５年７月３０日に請求され、その後の平成１５年８月２９日付けの明細書又は図面を補正する手続補正も、当審により補正の却下の決定がなされ、その決定はすでに確定している。
　
二、本願発明
　上記のとおり、上記平成１４年８月１２日付け及び平成１５年８月２９日付けの明細書又は図面を補正する手続補正が却下されて、すでに確定しているので、当審が審理の対象とすべき本願発明は、本願特許出願の願書に最初に添付した明細書の特許請求の範囲の請求項１及び請求項２に記載された発明であるところ、その請求項１に係る発明（以下、これを「
本願発明１
　「【請求項１】　遠隔キーとして認証コードを送信する移動局と、小規模なゾーンを形成し前記移動局からの認証コードを受信する移動局間無線インタフェー部と、許可された認証コードが記憶されている登録ＰＳ−ＩＤ記憶部と、自局のＩＤ番号が登録される自動開閉装置ＩＤ番号記憶部と、前記の許可された認証コードの登録及び変更を行う操作部に接続され、受信した前記認証コードと登録ＰＳ−ＩＤ記憶部内のＩＤとの比較を行う自動開閉装置制御部と、前記自動開閉装置制御部からの信号に従って開閉部の制御を行う開閉部
制御
　
　なお、請求項１中の「開閉部の制御を行う開閉部
操作
前記
操作
制御
　
三、引用刊行物及び引用刊行物における記載事項
１．原審における拒絶査定の理由に引用された、本願の特許出願前に頒布された刊行物である特開平５−３１１９３１号公報（以下、「
引用刊行物１
　「【請求項１】ホームバスを設置した建物において、ホームバスインタフェースを持ち、光、または電磁波による無線通信手段と電気的な施錠手段と機械的な施錠手段を有する施錠ユニットと、ホームバスインタフェースを持ち、キーコードを入力する手段と前記キーコードを登録する手段と前記キーコードを照合する手段を有するキーコード照合ユニットと、前記ホームバス全体の制御をする手段を有するホームバスコントローラと、前記ホームバスに接続可能な照明などの機器と、従来の鍵の形状を持ち、前記光、または前記電磁波による無線通信手段と、受信した機器の情報を表示する手段と、前記キーコードや機器の制御情報を記憶する手段と、動作モードを切り替える手段を有する制御鍵とを含むことを特徴とするホームバスキーレスエントリ装置。
　　【請求項２】ホームバスを設置した建物において、鍵に設けられたスイッチを操作することによって、光、または電磁波による無線通信でキーコードを前記鍵から施錠ユニットに転送し、非接触でドアの錠の開閉をすることを特徴とするホームバスキーレスエントリ方法。」（特許請求の範囲の請求項１及び請求項２）
　「【０００５】【課題を解決するための手段】上記目的達成のために、本発明はホームバスの設置された建物において、ホームバスに通常接続されるホームバスコントローラ，照明などの機器以外に、鍵所有者の確認のためのキーコードをキー入力し記憶し照合するキーコード照合ユニットと、鍵と、光，電磁波等で無線通信し、機械的または電気的に施錠する施錠ユニットをホームバスに接続し、従来の鍵の形状を持ち、キーコードを記憶し、光，電磁波等で無線通信し、施錠ユニットから送られた情報を表示し、動作モードを変えられる鍵を設け、鍵をドアの鍵穴に差し込むこと無く非接触で、ドアの錠の開閉と同時に照明などの機器の制御も行なえるようにした。……」
　「【０００６】【作用】鍵をドアの鍵穴に差し込むこと無く非接触で、ドアの錠の開閉と同時に機器を制御するようにしたので、わざわざドアの鍵穴に鍵を差し込む必要が無くなり、外出時に機器の電源の切り忘れをすることがなくなった。さらにキーコードをキー入力によって登録できるようにしたため、メーカ側の工程が減り、ユーザが任意のキーコードを容易に登録，変更できるようになった。
　　【０００７】【実施例】本発明の一実施例を図１に基づいて説明する。本発明のホームバスキーレスエントリ装置は、ホームバス２を設置した建物１と施錠ユニット５を内蔵したドア４とキーコード照合ユニット６とホームバス全体の制御をするホームバスコントローラ７と照明８等の機器と制御鍵９から構成され、外出または帰宅の際に、制御鍵９のモードスイッチを操作することにより、制御鍵９からキーコードと制御コードが電磁波による無線通信によって施錠ユニットに転送され、キーコードによってドア４の錠の開閉をし、同時に、制御コードによって照明８などの機器の制御を行なうことができる。鍵を鍵穴に差し込むこと無く非接触でドアの錠の開閉をし、同時に照明などの機器の制御もできるので、便利で、外出の際に機器の電源を切り忘れることが無くなる。……」
　「【０００８】次に、施錠ユニット５とキーコード照合ユニット６と制御鍵９について詳しく説明する。
　　【０００９】施錠ユニット５は、図２に示すように、電磁ロック機構１０と機械ロック機構１１とホームバスインタフェース１２と制御回路１３と無線通信回路１４から構成されていて、制御鍵９から電磁波による無線通信によってキーコードと機器の制御コードが送られ、キーコードをキーコード照合ユニット６へ転送し、キーコード照合ユニット６からキーコードの照合信号が送られたならば、ドアの錠を開閉し、機器の制御コードをホームバスコントローラ７へ転送し、ホームバスコントローラ７によって照明８のオンオフなどの制御をする。……」
　「【００１０】キーコード照合ユニット６は、図４に示すように、ホームバスインタフェース１２と照合回路２２とキーコード登録回路２３とテンキー２４によって構成され、テンキー２４を操作することにより、キーコード登録回路２３にユーザの任意のキーコードを登録する。施錠ユニット５から制御鍵９のキーコードが転送され、施錠ユニット５からキーコードの照合の要求があったならば、制御鍵９のキーコードとキーコード登録回路２３のキーコードを照合回路２２で照合し、キーコードの一致、または不一致の信号を施錠ユニット５に転送する。……」
　「【００１１】制御鍵９は、図３に示すように、従来の鍵の形状部１５と無線通信回路１６と表示回路１７と制御回路１８と記憶回路１９とモードスイッチ２０から構成され、モードスイッチ２０を操作することにより、モードスイッチ２０で選択した送信要求，機器の制御コード等の制御情報を記憶回路１７の中の情報から選択し、記憶回路１７に格納してあるキーコードと共に電磁波による無線通信によって施錠ユニット５に転送する。……」
　そうしてみると、引用刊行物１の上記摘記事項及び図面の記載からみて、前記引用刊行物１には、「ホームバス２が設置された建物１において；ホームバス２に接続するホームバスインタフェース１２を有し、制御回路１３と、光または電磁波で無線通信する無線通信回路１４と、電磁ロック機構１０と、従来の鍵の形状部１５により開閉できる機械ロック機構１１とで構成される施錠ユニット５と；ホームバス２に接続するホームバスインタフェース２１を有し、キーコードを照合する照合回路２２と、キーコードを登録するキーコード登録回路２３と、前記キーコード登録回路２３に接続されてユーザの任意のキーコードを登録できるキーコード入力用テンキー２４とで構成されるキーコード照合ユニット６と；ホームバス２に接続しホームバス２全体の制御手段を有するホームバスコントローラ７と；ホームバス２に接続可能な照明８などの機器と；従来の鍵の形状部１５を持ち、制御回路１８と、動作モードを切り替えるモードスイッチ２０と、光または電磁波により無線通信する無線通信回路１６と、施錠ユニット５から送られた機器の情報を表示する表示回路１７と、キーコードや機器の制御情報を記憶する記憶回路１９とで構成される制御鍵９；とから成るホームバスキーレスエントリ装置であって；前記制御鍵９に設けられたモードスイッチ２０の操作によりモードスイッチ２０で選択した送信要求、機器の制御コード等の制御情報が記憶回路１９の中の情報から選択され、該機器の制御コードとともに記憶回路１９に格納してあるキーコードが制御鍵９の無線通信回路１６からの光または電磁波による無線通信により施錠ユニット５に送信されると、施錠ユニット５の無線通信回路１４で受信されたキーコードが施錠ユニット５からキーコード照合ユニット６へ転送されて制御鍵９のキーコードの照合が要求されると、前記キーコード照合ユニット６は、制御鍵９のキーコードとキーコード登録回路２３のキーコードを照合回路２２で照合してキーコードの一致信号を施錠ユニット５の制御回路１３に転送して、制御回路１３がドア４の電磁ロック機構１０の錠の開閉を制御し、また、施錠ユニット５へ送信された機器の制御コードは、ホームバスコントローラ７へ転送されてホームバスコントローラ７により照明８のオンオフなどを制御できるようにして、鍵の形状部１５をドア４の鍵穴に差し込むこと無く非接触でドア４の電磁ロック機構１０の錠の開閉とともに、照明８などの機器の制御も行なえるようにしたホームバスキーレスエントリ装置」の発明（以下、これを「
引用発明１
　
四、当審の判断
１．本願発明１と引用発明１との対比及び一致点・相違点
　本願発明１と上記引用発明１とを対比すると、引用発明１における「制御鍵９のキーコード」「制御鍵９」「施錠ユニット５の無線通信回路１４」「キーコード登録回路２３のキーコード」「キーコード登録回路２３」「ユーザの任意のキーコードを登録できるキーコード入力用テンキー２４」「制御鍵９のキーコードとキーコード登録回路２３のキーコードを照合する照合回路２２」「ドア４の電磁ロック機構１０の錠」「制御回路１３」「ホームバスキーレスエントリ装置」が、本願発明１の「認証コード」「移動局」「移動局からの認証コードを受信する移動局間無線インタフェース部」「許可された認証コード」「登録ＰＳ−ＩＤ記憶部」「前記の許可された認証コードの登録及び変更を行う操作部」「受信した前記認証コードと登録ＰＳ−ＩＤ記憶部内のＩＤとの比較を行う自動開閉装置制御部」「開閉部」「開閉部制御手段」「自動開閉装置」にそれぞれ相当することは明らかである。
　ところで、引用発明１の「ホームバス２に接続された施錠ユニット５とキーコード照合ユニット６とホームバスコントローラ７と照明８などの機器からなる装置」は、施錠ユニット５とキーコード照合ユニット６とホームバスコントローラ７と照明８などの各々の機器が空間的には個々の機器装置として分散して存在するものではあるが、前記機器の各々がホームバス２に互いに接続されることにより、前記機器の各々はホームバス２の電気回路により全体として電気的に一体結合されているということができるから、引用発明１の前記「ホームバス２に接続された施錠ユニット５とキーコード照合ユニット６とホームバスコントローラ７と照明８などの機器からなる装置」は、本願発明１の「自動開閉機主装置」に対応するということができる。
　そして、引用発明１における「記憶回路１９に格納してあるキーコードが制御鍵９の無線通信回路１６からの光または電磁波による無線通信により施錠ユニット５に送信されると、施錠ユニット５の無線通信回路１４で受信されたキーコードが施錠ユニット５からキーコード照合ユニット６へ転送されて制御鍵９のキーコードの照合が要求されると、前記キーコード照合ユニット６は、制御鍵９のキーコードとキーコード登録回路２３のキーコードを照合回路２２で照合してキーコードの一致信号を施錠ユニット５の制御回路１３に転送して、制御回路１３がドア４の電磁ロック機構１０の錠の開閉を制御し」が、本願発明１の「前記移動局から移動局間無線インタフェース部を介して受信した認証コードと前記登録ＰＳ−ＩＤ記憶部に登録されている許可認証コードとの比較を行い、両者の一致した場合には、前記開閉部制御手段に対し前記開閉部の開門、閉鎖の命令を送出する」に対応する。
　そうすると、本願発明１と引用発明１の両者は、「遠隔キーとして認証コードを送信する移動局と、小規模なゾーンを形成し前記移動局からの認証コードを受信する移動局間無線インタフェー部と、許可された認証コードが記憶されている登録ＰＳ−ＩＤ記憶部と、前記の許可された認証コードの登録及び変更を行う操作部と、受信した前記認証コードと登録ＰＳ−ＩＤ記憶部内のＩＤとの比較を行う自動開閉装置制御部と、前記自動開閉装置制御部からの信号に従って開閉部の制御を行う開閉部制御手段と、から構成される自動開閉機主装置とを設け、前記自動開閉装置制御部を、前記移動局から移動局間無線インタフェース部を介して受信した認証コードと前記登録ＰＳ−ＩＤ記憶部に登録されている許可認証コードとの比較を行い、両者の一致した場合には、前記開閉部制御手段に対し前記開閉部の開門、閉鎖の命令を送出するように構成した自動開閉装置」である点で一致し、次の点で両者の構成が相違する。
　
相違点１
　
相違点２
　
相違点３
　
２．相違点についての検討
ア．上記
相違点１
　遠隔キーにより複数の機器を制御する無線通信装置において、送信された制御信号が自局宛かどうかを識別するために、被制御機器に自局のＩＤ番号を登録した記憶部を設けることは、当該技術分野においては本願特許出願時の周知技術（例えば、本願特許出願前に頒布された刊行物である特開平１−１４７９９８号公報、特開平３−２５８０９６号公報及び特開平５−２９２５６８号公報を参照）である。
　そして、送信された制御信号が自局宛の信号かどうかを識別するために自局のＩＤ番号を被制御機器の記憶部に登録しておく技術が、上述のとおり本願特許出願前に広く採用されている周知技術であることを斟酌すれば、引用発明１に上記周知技術を適用する際に適用される前記被制御機器を、本願発明１のような「自動開閉装置」とすることにより、本願発明１の相違点１に係る前記「自局のＩＤ番号が登録される自動開閉装置ＩＤ番号記憶部」を具備する構成を得ることは、当業者が前記周知技術に基いて容易に成し得ることである。そして、本願発明１の相違点１に係る前記構成とした点に格別の相乗効果を認めることができない。
　
イ．上記
相違点２
　自動開閉装置に、利用者とのインタフェースを司るマンマシーンインタフェース部を設けることは、当該技術分野においては本願特許出願時の周知技術（例えば、本願特許出願前に頒布された刊行物である特開平３−１０５９６号公報、特開平３−１３６７９号公報及び特開平２−３５１７７号公報を参照）である。
　上記のとおり、利用者とのインタフェースを司るマンマシーンインタフェース部が本願特許出願前の周知のものであることを鑑みれば、引用発明１に上記周知技術を付加することにより、本願発明１の相違点２に係る前記「利用者とのインタフェースを司るマンマシーンインタフェース部」を具備する構成を得ることは、当業者が格別の困難性を要することなく容易になし得ることである。そして、本願発明１の相違点２に係る前記構成とした点に格別の相乗効果を認めることができない。
　
ウ．上記
相違点３
　本願発明１では、「前記の許可された認証コードの登録及び変更を行う操作部」を「受信した前記認証コードと登録ＰＳ−ＩＤ記憶部内のＩＤとの比較を行う自動開閉装置制御部」を介して「登録ＰＳ−ＩＤ記憶部」に間接的に接続させる回路の中で、許可された認証コードの登録及び変更を行うのに対し、引用発明１では、「ユーザの任意のキーコードを登録できるキーコード入力用テンキー２４」を「キーコード登録回路２３」に直接的に接続させるキーコード照合ユニット６の回路の中で、ユーザの任意のキーコードを登録できるようにしており、前記「ユーザの任意のキーコードを登録できるキーコード入力用テンキー２４」が接続される「キーコード登録回路２３」は、さらに「制御鍵９のキーコードとキーコード登録回路２３のキーコードを照合する照合回路２２」に接続するようになっていて、結果的に、引用発明１の「ユーザの任意のキーコードを登録できるキーコード入力用テンキー２４」は「キーコード登録回路２３」を介して「照合回路２２」に間接的に接続する回路構成となっている。
　しかしながら、電気回路というものが当業者の必要に応じて適宜に自由自在に設計されるものであることを斟酌すれば、引用発明１の「ユーザの任意のキーコードを登録できるキーコード入力用テンキー２４」を「キーコード登録回路２３」を介することなく直接的に「制御鍵９のキーコードとキーコード登録回路２３のキーコードを照合する照合回路２２」に接続する回路とすることは、当業者が必要に応じて適宜変更できる設計事項にすぎないことである。
　そうしてみると、引用発明１の「ユーザの任意のキーコードを登録できるキーコード入力用テンキー２４」の構成を、本願発明１の相違点３に係る前記「前記の許可された認証コードの登録及び変更を行う操作部が受信した前記認証コードと登録ＰＳ−ＩＤ記憶部内のＩＤとの比較を行う自動開閉装置制御部に接続される」構成とすることは、当業者が容易に成し得ることである。そして、本願発明１の相違点３に係る前記構成とした点に格別の相乗効果を認めることができない。
　
３．まとめ
　したがって、本願発明１は、引用刊行物１に記載の発明（引用発明１）及び周知技術に基いて当業者が容易に発明をすることができたものである。
　
五、むすび
　以上のとおり、請求項１に係る本願発明１は、上記引用刊行物１に記載の発明及び周知技術に基いて当業者が容易に発明をすることができたものであるから、本願発明１は特許法第２９条第２項の規定により特許を受けることができないので、他の請求項に係る発明を検討するまでもなく、本願は拒絶すべきものである。
　よって、結論のとおり審決する。